(57)【要約】      （修正有）【課題】ドリンクホルダーによる直接保持が不能な様々な飲食品容器であっても、これらの飲食品容器をドリンクホルダーにより間接保持させることで、ドリンクホルダーの保持機能を拡大できるドリンクホルダーのアダプターを提供する。【解決手段】ドリンクホルダーのアダプター１は、ドリンクホルダーのドリンク容器保持部に挿入不能な大きさの食品容器を上端開口部２０から挿入保持する周壁２１を備えた飲食品容器保持部２と、この飲食品容器保持部２の下側に連設されてドリンクホルダーのドリンク容器保持部に挿入保持される挿入脚部３とを備えている。食品容器は、ドリンクホルダーのアダプター１の飲食品容器保持部２に保持された状態で、ドリンクホルダーにより間接保持される。【選択図】図１
0003155476.tif 000002
【実用新案登録請求の範囲】
【請求項１】
ドリンクホルダーの保持機能を拡大するためのドリンクホルダーのアダプターであって、
該アダプターは、ドリンクホルダーのドリンク容器保持部に挿入不能な大きさの飲食品容器を上端開口部から挿入保持する周壁を備えた飲食品容器保持部と、この飲食品容器保持部の下側に連設されて前記ドリンクホルダーのドリンク容器保持部に挿入保持される挿入脚部と、を備えていることを特徴とするドリンクホルダーのアダプター。
【請求項２】
前記飲食品容器保持部の周壁は、幅方向と奥行方向の一方の大きさが他方の大きさよりも十分に大きく、かつ、前記ドリンク容器保持部の内法よりも大きく設定されているとともに、その横断面の二次元が直線同士の組み合わせ、直線と曲線の組み合わせ、曲線同士の組み合わせのいずれか一つの組合わせによって構成されている請求項１に記載のドリンクホルダーのアダプター。
【請求項３】
前記挿入脚部の外周には、前記ドリンクホルダーのドリンク容器保持部への挿入時に弾性変形して該ドリンク容器保持部の内面に弾性的に接触する弾性突条が突設されている請求項１または請求項２に記載のドリンクホルダーのアダプター。
【請求項４】
前記周壁の幅方向にのびる前壁上縁部およびその付近に、下向きの切欠部が形成されている請求項２に記載のドリンクホルダーのアダプター。
【考案の詳細な説明】
【技術分野】
【０００１】
本考案はドリンクホルダーのアダプターに係り、詳しくはドリンクホルダーの保持機能の拡大に好適なドリンクホルダーのアダプターに関する。
【背景技術】
【０００２】
従来より、コーヒー、ジュースなどの飲み物を入れた缶、あるいは他の清涼飲料水を入れたペットボトルなどからなるドリンク容器を保持するドリンクホルダーとしては、自動車のコンソールボックスなどに標準装備で設けられているものや、また、自動車のたとえばインストルメントパネルやその付近の通風口などに装着されるものなど、多種多様のものが提供されている。その一例を図５に示す。
【０００３】
図５（ａ）において、ドリンクホルダー５０は、図示していない取付部材を介して車体側に取付けられる被取付部５１と、その前側に設けたドリンク容器保持部５２とを備えている。図５（ｂ）に示すように、ドリンク容器保持部５２には、コーヒー、ジュースなどの飲み物を入れた缶、あるいは他の清涼飲料水を入れたペットボトルなどからなるドリンク容器５３が上から挿入されて保持される。前記缶あるいはペットボトルなどからなるドリンク容器５３は、主として円筒形または略円筒形を呈しているので、ドリンク容器保持部５２の投影平面形状は、ドリンク容器５３を挿入して保持するために円形環状（ドーナツ形）に設定されているものが多い。
【先行技術文献】
【特許文献】
【０００４】
【特許文献１】特になし。
【考案の概要】
【考案が解決しようとする課題】
【０００５】
ところで、図６に示す紙製の食品容器５４が知られている。この食品容器５４は、たとえばスティック状のフライドポテトなどのファストフード（図示省略）を上端開口部５５から装入して販売される。そして、幅方向（矢印Ｗ）の大きさが奥行方向（矢印Ｌ）の大きさよりも十分に大きい約２倍強の値に設定されているとともに、この幅方向の大きさは図５（ａ）に示すドリンクホルダー５０におけるドリンク容器保持部５２の内法Ｄよりも大きい。したがって、このような食品容器５４をドリンク容器保持部５２に挿入して保持することはできない。なお、食品容器５４は、その横断面の二次元を外側に膨らむ曲線同士の組み合わせによって構成している。すなわち、前側に膨らんで張り出す曲線からなる前壁５４ａと、後側に膨らんで張り出す曲線からなる後壁５４ｂおよび左右方向の外側に膨らんで張り出す曲線からなる左右一対の側壁５４ｃ，５４ｃを備えている。
【０００６】
自動車の運転者が、たとえばドライブスルーで前記ファストフードが装入されている前記食品容器５４を購入した場合、この食品容器５４はドリンク容器保持部５２によって挿入保持し得ないので、自動車走行時における食品容器５４の保持は同乗者に委ねる必要がある。そのため、同乗者に余分な負担をかけるばかりか、同乗者が保持している食品容器５４内の食品を運転者が食する形態は運転者にとって不便である。しかも、同乗者が不在であれば運転者は危険な片手ハンドルによる連続運転を強いられることになるので、安全運転上実行し難いなどの問題を有している。
【０００７】
また、前記食品容器５４のみに限らず、前述の缶あるいはペットボトルなどからなるドリンク容器５３のように円筒形または略円筒形を呈していても、その外径がドリンク容器保持部５２の内法Ｄよりも大きいドリンク容器や食品容器、あるいは一辺の大きさ（長さ）が前記内法Ｄよりも大きい角形紙製のドリンク容器や食品容器であれば、これらをドリンク容器保持部５２に挿入して保持することが不可能な問題もある。
【０００８】
本考案は、上記の実情に鑑みてなされたものであって、ドリンクホルダーによる直接保持が不能な様々な飲食品容器であっても、これらの飲食品容器をドリンクホルダーにより間接保持させることで、ドリンクホルダーの保持機能を拡大できるドリンクホルダーのアダプターの提供を目的とするものである。
【課題を解決するための手段】
【０００９】
前記目的を達成するために、本考案に係るドリンクホルダーのアダプターは、ドリンクホルダーの保持機能を拡大するためのドリンクホルダーのアダプターであって、
該アダプターは、ドリンクホルダーのドリンク容器保持部に挿入不能な大きさの飲食品容器を上端開口部から挿入保持する周壁を備えた飲食品容器保持部と、この飲食品容器保持部の下側に連設されて前記ドリンクホルダーのドリンク容器保持部に挿入保持される挿入脚部と、を備えていることを特徴としている。
【００１０】
これによれば、ドリンクホルダーのアダプターは、その挿入脚部をドリンク容器保持部に挿入することでドリンクホルダーにより保持される。挿入脚部の上側に連設されている飲食品容器保持部は、ドリンク容器保持部に挿入不能な大きさの飲食品容器を上端開口部から挿入保持する周壁を備えているので、この飲食品容器保持部に前記ドリンク容器保持部に挿入不能な大きさの飲食品容器を挿入保持することで、該飲食品容器は、ドリンクホルダーのアダプターを介してドリンクホルダーにより間接保持されることになる。これにより、ドリンクホルダーの保持機能が拡大される。
【００１１】
また、本考案のドリンクホルダーのアダプターにおける前記飲食品容器保持部の周壁は、幅方向と奥行方向の一方の大きさが他方の大きさよりも十分に大きく、かつ、前記ドリンク容器保持部の内法よりも大きく設定されているとともに、その横断面の二次元が直線同士の組み合わせ、直線と曲線の組み合わせ、曲線同士の組み合わせのいずれか一つの組合わせによって構成されている。
【００１２】
これによれば、幅方向と奥行方向の一方の大きさが他方の大きさよりも十分に大きく、かつ、ドリンク容器保持部の内法よりも大きく設定されているとともに、その横断面の二次元が直線同士の組み合わせ、直線と曲線の組み合わせ、曲線同士の組み合わせのいずれか一つの組合わせによって構成した飲食品容器を飲食品容器保持部によって揺動不能に適正に保持することができる。
【００１３】
さらに、本考案のドリンクホルダーのアダプターは、前記挿入脚部の外周に、前記ドリンクホルダーのドリンク容器保持部への挿入時に弾性変形して該ドリンク容器保持部の内面に弾性的に接触する弾性突条を突設していることが望ましい。これによると、ドリンク容器保持部に挿入脚部を挿入したときに弾性突条が弾性変形してドリンク容器保持部の内面に弾性的に接触するので、挿入脚部の揺動や抜脱を抑えてドリンク容器保持部による挿入脚部保持の安定性を高めることができる。
【００１４】
また、本考案のドリンクホルダーのアダプターは、前記周壁の幅方向にのびる前壁上縁部およびその付近に、下向きの切欠部を形成することが望ましい。これによると、飲食品容器保持部によって上下方向の寸法が短いサイズの飲食品容器を保持しても、該飲食品容器の正面側の上縁部およびその付近が切欠部に臨出することになる。そのため、飲食完了後の飲食品容器は、切欠部に臨出している正面側の上縁部およびその付近を摘んで飲食品容器保持部から容易に取出すことができる。
【考案の効果】
【００１５】
本考案に係るドリンクホルダーのアダプターは、ドリンクホルダーによる直接保持が不能な様々な飲食品容器であっても、これらの飲食品容器をドリンクホルダーにより間接保持させることができるので、ドリンクホルダーの保持機能が拡大する。
【図面の簡単な説明】
【００１６】
【図１】本考案に係るドリンクホルダーのアダプターの一実施形態を前側から見た斜視図である。
【図２】図１のドリンクホルダーのアダプターを後側から見た斜視図である。
【図３】図１の矢印ＩＩＩ方向から見た側面図である。
【図４】図１の縦断側面図である。
【図５】（ａ）はドリンクホルダーの一例を示す斜視図である。（ｂ）はドリンク容器が挿入されて保持された状態を示す同斜視図である。
【図６】食品容器の一例を示す斜視図である。
【考案を実施するための形態】
【実施例】
【００１７】
図１は本考案に係るドリンクホルダーのアダプターの一実施形態を前側から見た斜視図、図２は図１のドリンクホルダーのアダプターを後側から見た斜視図、図３は図１の矢印ＩＩＩ方向から見た側面図、図４は図１の縦断側面図であり、これらの図において、ドリンクホルダーのアダプター１は樹脂の一体成形品からなり、飲食品容器保持部２と、この飲食品容器保持部２の下側に連設されて鉛直方向にのびる挿入脚部３とを備えている。
【００１８】
飲食品容器保持部２は、上端開口部２０から図６に示す食品容器５４を挿入して保持するためのもので、周壁２１と上端開口部２０から挿入された前記食品容器５４を載置する底２２とを備えており、周壁２１の幅方向（図１の矢印Ｗ）の大きさは奥行方向（図１の矢印Ｌ）の大きさの２倍強の値に設定されているとともに、この幅方向の大きさは、図５（ａ）に示すドリンクホルダー５０におけるドリンク容器保持部５２の内法Ｄよりも大きい値を有している。
【００１９】
前記周壁２１は、食品容器５４（図６参照）の大きさと形状に律して、その横断面の二次元を外側に膨らむ曲線同士の組み合わせによって構成している。すなわち、前側に膨らんで張り出す曲線からなる前壁２１ａと、後側に膨らんで張り出す曲線からなる後壁２１ｂおよび左右方向の外側に膨らんで張り出す曲線からなる左右一対の側壁２１ｃ，２１ｃを備えている。そして、前壁２１ａの上縁部およびその付近を下向き円弧状に切欠した切欠部２３が形成され、後壁２１ｂの上端部の一部をくりぬいて提げ手２４が形成されている。
【００２０】
挿入脚部３は、図５に示すドリンクホルダー５０におけるドリンク容器保持部５２に挿入して保持されるもので、ドリンク容器保持部５２に挿脱できる外径を有する円筒、つまり、ドリンク容器保持部５２の内法Ｄよりも僅かに小さい外径を有する円筒からなり、その外周には、ゴムなどの弾性体からなる４本の弾性突条３０が円周方向等間隔を有し、かつ、上下方向の全長にのびて突設されている。
【００２１】
前記構成によれば、ドリンクホルダーのアダプター１は、その挿入脚部３をドリンクホルダー５０のドリンク容器保持部５２に挿入することで、ドリンクホルダー５０により保持される。また、挿入脚部３の上側に連設されている飲食品容器保持部２は、ドリンク容器保持部５２に挿入不能な食品容器５４を上端開口部２０から挿入できる周壁２１を備えているので、ドリンクホルダー５０はドリンクホルダーのアダプター１を介して食品容器５４を間接保持することになる。これにより、ドリンクホルダー５０の保持機能が拡大される。
【００２２】
図６に示す食品容器５４は、前側に膨らんで張り出す曲線からなる前壁５４ａと、後側に膨らんで張り出す曲線からなる後壁５４ｂおよび左右方向の外側に膨らんで張り出す曲線からなる左右一対の側壁５４ｃ，５４ｃを備えた横断面の二次元を外側に膨らむ曲線同士の組み合わせによって構成しているのに対して、図１〜図４で説明した本考案に係るドリンクホルダーのアダプター１の一実施形態では、その飲食品容器保持部２の周壁２１は、前側に膨らんで張り出す曲線からなる前壁２１ａと、後側に膨らんで張り出す曲線からなる後壁２１ｂおよび左右方向の外側に膨らんで張り出す曲線からなる左右一対の側壁２１ｃ，２１ｃを備えた横断面の二次元を外側に膨らむ曲線同士の組み合わせによって構成しているので、飲食品容器保持部２によって食品容器５４を揺動不能な状態で適正に保持することが可能である。
【００２３】
これにより、ドリンクホルダー５０の保持機能が拡大されるとともに、自動車の運転者がたとえばドライブスルーでファストフードを装入した食品容器５４を購入した場合、該食品容器５４をドリンクホルダーのアダプター１における飲食品容器保持部２に挿入して保持することができる。したがって、同乗者に余分な負担をかけることが不要になるばかりか、飲食品容器保持部２に保持されている食品容器５４内の食品を運転者が食する形態は運転者にとって便利である。しかも、同乗者が不在であっても運転者は危険な片手ハンドルによる連続運転を避けて安全運転を実行できる。
【００２４】
また、挿入脚部３の外周には、ドリンクホルダー５０のドリンク容器保持部５２への挿入時に弾性変形して、該ドリンク容器保持部５２の内面に弾性的に接触するゴムなどの弾性体からなる４本の弾性突条３０が円周方向等間隔を有し、かつ、上下方向の全長にのびて突設されているので、挿入脚部３をドリンク容器保持部５２に挿入したのちに挿入脚部３が揺動したりドリンク容器保持部５２から抜脱するのを抑えて、ドリンク容器保持部５２による挿入脚部３保持の安定性を高めることができる。
【００２５】
さらに、周壁２１の前壁２１ａの上縁部およびその付近を下向き円弧状に切欠した切欠部２３が形成されているので、飲食品容器保持部２によって上下方向の寸法が短いサイズの食品容器５４を保持しても、該食品容器５４の正面側の上縁部およびその付近が切欠部２３に臨出することになる。そのため、使用後の食品容器５４は切欠部２３に臨出している正面側の上縁部およびその付近を摘んで飲食品容器保持部２から容易に取出すことができる。
【００２６】
前記実施形態によれば、飲食品容器保持部２の周壁２１は、食品容器５４（図６参照）の大きさと形状に律して、その横断面の二次元を外側に膨らむ曲線同士の組み合わせによって構成しているが、本考案に係るドリンクホルダーのアダプター１における飲食品容器保持部２の周壁２１は、前記実施形態のみに限定されるものではなく、食品容器５４の大きさと形状に律して、直線同士の組み合わせ、直線と曲線の組み合わせによって構成することにより、横断面の二次元を直線同士の組み合わせ、直線と曲線の組み合わせによって構成されている飲食品容器を揺動不能な状態で適正に保持することができる。
【００２７】
また、外径がドリンクホルダー５０におけるドリンク容器保持部５２の内法Ｄよりも大きい円筒形または略円筒形を呈するドリンク容器や食品容器を保持できるように、飲食品容器保持部２の周壁２１を構成することで、ドリンクホルダー５０はドリンクホルダーのアダプター１を介して前記円筒形または略円筒形を呈するドリンク容器や食品容器を間接保持することができる。
【００２８】
さらに、一辺の大きさ（長さ）がドリンクホルダー５０におけるドリンク容器保持部５２の内法Ｄよりも大きい角形紙製のドリンク容器や食品容器を保持できるように、飲食品容器保持部２の周壁２１を構成することで、ドリンクホルダー５０はドリンクホルダーのアダプター１を介して前記角形紙製のドリンク容器や食品容器を間接保持することができる。
【産業上の利用可能性】
【００２９】
ドリンクホルダー５０による直接保持が不能な飲食品容器を飲食品容器保持部２で保持して、その挿入脚部３をドリンクホルダー５０のドリンク容器保持部５２に挿入することにより、前記飲食品容器をドリンクホルダー５０により間接保持する。
【符号の説明】
【００３０】
１  ドリンクホルダーのアダプター
２  飲食品容器保持部
３  挿入脚部
２０  上端開口部
２１  周壁
２３  切欠部
３０  弾性突条
５０  ドリンクホルダー
５２  ドリンク容器保持部
５４  食品容器（飲食品容器）
Ｄ  ドリンク容器保持部の内法
【図１】
0003155476.tif 000003
【図２】
0003155476.tif 000004
【図３】
0003155476.tif 000005
【図４】
0003155476.tif 000006
【図５】
0003155476.tif 000007
【図６】
0003155476.tif 000008